(57)【要約】  本システムは少なくとも第１のエンドユーザデバイス（１）および一つの他のエンドユーザデバイス（２）を有し、エンドユーザデバイス（１）、（２）はインターネット接続機能、およびＧＤＭ／ＣＤＭＡに基づく接続機能を有し、少なくとも第１のエンドユーザデバイス（１）には、メッセージデータによって表される情報をユーザが作成できるようにするユーザインターフェース（１４）を提供するアプリケーションが搭載され、アプリケーションは第１のエンドユーザデバイス（１）の制御手段、または通信手段から第１のエンドユーザデバイス（１）の接続特性を読出し、メッセージデータは読出されたデータに応じてインターネット接続パス、またはＧＳＭ／ＣＤＭＡに基づく接続パスを介して送信され、メッセージデータは、ＧＳＭ／ＣＤＭＡに基づく接続パスが選択される場合、およびメッセージデータが所定の基準を満たす場合に所定の方法で自動的に修正される。【選択図】図１
2019527490.tif 000002
【特許請求の範囲】
【請求項１】
第１のエンドユーザデバイス（１）を操作して前記第１のエンドユーザデバイス（１）から少なくとも一つの他のエンドユーザデバイス（２）に対して一つ、または複数の送信パスを介してメッセージデータを送信する方法であり、少なくとも
前記第１のエンドユーザデバイス（１）のディスプレイユニットを用いてユーザインターフェース（１４）を表示するステップ、
前記複数の送信パスのうちどれが利用可能かを検出するステップ、および
ユーザコマンドの検出に応答して、前記メッセージデータ（９）を選択された前記送信パスを介して送信するステップを含み、
前記ユーザインターフェース（１４）は、メッセージデータ（９）として送信する必要がある情報を前記ユーザが作成するためのセクションを含み、前記メッセージデータ（９）は、テキスト情報を表すデータとは異なるデータ、特に映像情報、または音声情報を表す情報を少なくとも含み、
主送信パスが、前記主送信パスが利用できる場合、またはデータ送信速度が所定の閾値よりも大きい場合に選択され、
予備送信パスが、前記主送信パスが利用できない場合、またはデータ送信速度が所定の閾値よりも小さい場合に選択され、
前記予備送信パスが選択された場合、前記メッセージデータ（９）が送信前に修正される方法。
【請求項２】
前記メッセージデータ（９）は、前記予備送信パスを介して送信される前記メッセージデータ（９）の前記決定された情報と異なる情報を表す所定のリンクメッセージデータを含むように、修正される、請求項１の方法。
【請求項３】
前記リンクメッセージデータは、前記残存メッセージデータのデータ送信、または前記全メッセージデータのデータ送信を前記他のデバイスに対して要求するリンク、またはルーティングデータを含む、請求項２に記載の方法。
【請求項４】
利用可能な主送信パスがのちに検出された場合、前記残存メッセージデータ、または前記全メッセージデータは、前記主送信パスを介して送信される、請求項１から請求項３のいずれか一項に記載の方法。
【請求項５】
所定の閾値を下回るデータ、または特定のフォーマットを有するデータのみが前記予備送信パスを介して送信される、請求項１から請求項４のいずれか一項に記載の方法。
【請求項６】
前記主送信パスはインターネット接続、特にインスタントメッセンジャー手段によって構成され、
前記予備送信パスはＳＭＳ、またはＭＭＳによって構成される、請求項１から請求項５のいずれか一項に記載の方法。
【請求項７】
前記メッセージデータは、ビデオ情報、映像情報、および／または音声情報を表す、請求項１から請求項６のいずれか一項に記載の方法。
【請求項８】
前記メッセージデータは、テキスト情報とともに、少なくともビデオ情報、映像情報、および音声情報を含む群から選択されるいずれか一つの情報を表す、請求項１から請求項７のいずれか一項に記載の方法。
【請求項９】
請求項１から請求項８のいずれか一項に記載の方法を実行するためのコンピュータプログラム製品。
【請求項１０】
エンドユーザによって作成される情報を表し、第１のエンドユーザデバイス（１）から他のエンドユーザデバイス（２）へ送信されるメッセージデータを送信するためのシステムであり、
インターネットに接続する機能、およびＧＤＭ／ＣＤＭＡに基づく接続を行う機能を有する前記第１のエンドユーザデバイス（１）、および一つの他のエンドユーザデバイス（２）を少なくとも有し、
少なくとも前記第１のエンドユーザデバイス（１）には、前記メッセージデータによって表される情報をユーザが作成できるようにするユーザインターフェース（１４）を提供するアプリケーションが搭載され、前記アプリケーションは、第１のエンドユーザデバイス（１）の制御手段、または通信手段から前記第１のエンドユーザデバイス（１）の接続特性を読出し、
前記メッセージデータは、前記読出されたデータに応じてインターネット接続パス、またはＧＳＭ／ＣＤＭＡに基づく接続パスを介して送信され、
前記メッセージデータは、前記ＧＳＭ／ＣＤＭＡに基づく接続パスが選択される場合、および前記メッセージデータが所定の基準を満たす場合に所定の方法で自動的に修正されるシステム。
【請求項１１】
メッセージデータの前記修正によってメッセージデータの低減、またはメッセージデータの置換が生じ、
前記低減によってメッセージデータは所定の量へ制限され、
メッセージデータの置換により、メッセージデータが所定の量へ制限され、後に前記インターネット接続を介して前記残存メッセージデータ、または前記全メッセージデータのダウンロードを要求するルーディングデータが追加される、請求項１０に記載のシステム。
【請求項１２】
前記エンドユーザデバイス（１）、（２）のすべてに同一のアプリケーションが搭載される、請求項１０または請求項１１に記載のシステム。
【請求項１３】
前記第１のエンドユーザデバイス（１）上で動作する前記アプリケーションは、前記第１のエンドユーザデバイス（１）の前記インターネット接続、および前記他のエンドユーザデバイス（２）の前記インターネット接続をチェックする、請求項１０から請求項１２のいずれか一項に記載のシステム。
【発明の詳細な説明】
【技術分野】
【０００１】
請求項１によると、本発明は、第１のエンドユーザデバイスを操作して、第１のエンドユーザデバイスから少なくとも一つの他のエンドユーザデバイスに対し、一つまたは複数の送信パスを用いてメッセージデータを送信するための方法に関連する。請求項８によると、本発明は、本発明に係る上記方法を実行するためのコンピュータプログラム製品に関連する。請求項１０によると、本発明は、エンドユーザに作成され、第１のエンドユーザデバイスから第２のエンドユーザデバイスへ送信されるメッセージデータを送信するためのシステムに関連する。
【背景技術】
【０００２】
文献ＵＳ５９７４４４９Ａ１は、メッセージを格納し、転送するための装置を開示している。この装置は、第１のネットワークとインターフェースで接続する第１のネット―ワークインターフェース、第２のネットワークとインターフェースで接続する第２のネット―ワークインターフェース、第１のネットワークインターフェースから受取メッセージと配信情報を受信する手段、第１形式のメッセージコンテントフォーマットを有する受取メッセージ、および配信情報に応答して第１形式のメッセージコンテントフォーマットを有する受取メッセージを第２形式のメッセージコンテントフォーマットを有するメッセージに変換する変換器、ならびに、配信情報で特定される少なくとも一人の受信者に対して第２形式のメッセージコンテントフォーマットを有するメッセージを提示する手段を備える。変換器は、配信情報を用いて当該メッセージのために第２形式のメッセージコンテントフォーマットを選択する。第２形式のメッセージコンテントフォーマットは、当該メッセージがメモリのある位置に格納される形式を含み、このメモリ内の位置は、位置情報によって決められる。提示する手段は、受取メッセージを提示するためのウェブページを作成するための手段を備える。配信情報は宛先アドレスを含み、宛先アドレスは、「．」記号、「＠」記号、および「．ｃｏｍ」記号を表したボタンを有する電話キーパッドを有するＤＴＭＦジェネレータから送信される。これらの記号は、当該ボタン上の決められた位置を占める。
【０００３】
文献ＵＳ２０１３１５７６２７Ａ１は、第１のユーザから一人、またはそれ以上の第２のユーザに送信される通信にアクセスすること、第１と第２のユーザの両者に関連する特定のスレッドのために複数の通信スレッドを検索すること、特定の通信スレッドがある場合にはそのスレッドに当該通信を加えること、および、各第２のユーザのために、第２のユーザに対し、適切であると判断されて選択される通信プロトコルを用いて通信を送信することを含む方法を開示している。
【０００４】
文献ＷＯ２０１３１８８０７８Ａ２は、異なるデバイスを用いてユーザが一つのデバイス上のコンテントを他の複数のユーザと共有できるようにするためのツールを提供する実施形態を開示している。この共有操作を容易にするため、コンテント共有ツールは、共有されたコンテントセットを表示する共有されたストリームを生成し、共有されたストリームを購読するように複数の受信者を招待することをユーザに許容する。受信者が共有されたストリームを購読した場合、コンテントセットは、一人、または複数人のデバイスにわたってストリームされる。幾つかの実施形態のコンテント共有ツールは、ストリームのコンテントに関するコメントを交換するために用いることができる。
【０００５】
文献ＵＳ２０１４２２１０２７Ａ１は、遠距離通信ネット―ワークにおいてショートメッセージサービスのショートメッセージを用いてマルチメディアメッセージサービスのマルチメディアメッセージを送信する方法を開示している。この方法は、ショートメッセージのヘッダー部に続くデータ部内にマルチメディアメッセージを埋めこむこと、当該マルチメディアメッセージがデータ部に存在していることを示す第１の識別子をショートメッセージに加えること、当該マルチメディアメッセージの形式を示す第２の識別子をショートメッセージのデータ部に加えること、および受信者に当該ショートメッセージを送信することを含む。
【０００６】
文献ＵＳ２００７２７６５８７Ａ１は、インターネット接続サービスを開示している。このサービスは、当該サービスへのインターネット接続上で、複数のコンテント設定ユーザが少なくとも一つの設定された状況位置に関連するコンテントをモバイルユーザのモバイルデータプロセスシステムに表示するためにコンテントを設定する手段、モバイルユーザのモバイル状況位置を決定するための手段、モバイル状況位置と設定された状況位置を比較することで当該コンテントを自動的に検索する手段、および当該コンテントをモバイルデータプロセスシステムに送信する手段を含む。コンテントは、少なくとも一つの設定された状況位置に関連する。
【０００７】
受信者と送信者のいずれかががインターネット接続していない状況において、マルチメディアデータとテキストデータの両者を含むメッセージデータを効率よく送信する方法を開示した先行技術はない。
【先行技術文献】
【特許文献】
【０００８】
【特許文献１】米国特許第５９７４４４９号明細書
【特許文献２】米国特許出願公開第２０１３／１５７６２７号明細書
【特許文献３】国際公開第２０１３／１８８０７８号
【特許文献４】米国特許出願公開第２０１４／２２１０２７号明細書
【特許文献５】米国特許出願公開第２００７／２７６５８７号明細書
【発明の概要】
【発明が解決しようとする課題】
【０００９】
したがって、本発明の課題は、メッセージデータの送信を改善可能な方法、コンピュータプログラム製品、およびシステムを提供することである。
【課題を解決するための手段】
【００１０】
上述した課題は、第１のエンドユーザデバイスを操作して一つ、または複数の送信パスを用いて第１のエンドユーザデバイスから少なくとも一つの他のエンドユーザデバイスへメッセージデータを送信するための、請求項１に係る方法によって解決される。本発明に係る方法は、少なくとも、第１のエンドユーザデバイスの表示ユニットを用いてユーザインターフェースを表示するステップ、複数の送信パスのうちどれが利用可能かを検出するステップ、およびユーザコマンドの検出に応答して選択された送信パスを介してメッセージデータを送信するステップを含むことが好ましい。ユーザインターフェースは、メッセージデータとして送信する必要がある情報をユーザが作成するためのセクションを含み、メッセージデータは、少なくともテキスト情報を表すデータとは異なるデータ、特に映像情報、または音声情報を表すデータを含む。主送信パスは、それが利用できる場合、またはデータ送信速度が所定の閾値よりも大きい場合に選択される。予備送信パスは、主送信パスが利用できない場合、またはデータ送信速度が所定の閾値よりも小さい場合に選択される。予備送信パスが選択された場合、メッセージデータは送信前に修正される。メッセージデータの修正は、第１のエンドユーザデバイス内で動作するアプリケーションによって行われることが好ましい。アプリケーションは、好ましくは第１のエンドユーザデバイスの接続態様をチェックし、より好ましくは一つ以上の他のエンドユーザデバイスの接続態様もチェックし、特にどれがメッセージデータの受信者として選択されたかをチェックする。
【００１１】
この解決法は、第１のエンドユーザデバイスのユーザ、好ましくはそれに加えて他のエンドユーザデバイスのユーザが特定の送信パスを選択する必要がない、またはメッセージデータを選択された送信パスに適合させる必要がないため、有益である。修正されたメッセージデータは、好ましくはハイブリッドメッセージデータとして理解され、ハイブリッドメッセージデータは、テキストを表すデータとともに他の内容に関する他のデータ、特にオリジナルメッセージデータの映像情報、および／または音声情報を含む。（オリジナルメッセージの）メッセージデータは、好ましくは、テキスト情報とともに、ビデオ情報、映像情報、および音声情報を少なくとも含む群から選択される情報のうち少なくともいずれか意味する。
【００１２】
本発明に係る方法のさらに好ましい実施形態は、以下の明細書部において述べられ、説明され、および／または記載され、また、従属請求項の主題である。
【００１３】
本発明の好ましい実施形態によると、メッセージデータは所定のリンクメッセージデータを含むように修正され、リンクメッセージデータは、予備送信パスを介して送信されるメッセージデータの確定された情報とは異なる情報を表す。このため、リンクメッセージデータは、残存メッセージデータ、または全メッセージデータを他のデバイスへデータ送信することを要求するためのリンク、またはルーティングデータを含むことが好ましい。残存メッセージデータ、または全メッセージデータは、好ましくは、利用可能な主送信パスを後に検出した後に主送信パスを経由して送信してもよい。このような送信は、主送信パスが設定または検出される場合、または主送信パスのデータ送信速度が所定の閾値よりも大きい場合、自動的に、特に上述したアプリケーションによって開始されることが好ましい。閾値は、例えば毎秒１ＫＢ、１０ＫＢ、１００ＫＢ、２００ＫＢ、５００ＫＢ、または１００ＫＢである。さらに／あるいは、残存メッセージデータ、または全メッセージは、一つ、または複数の格納手段、特にサーバデバイスやクラウドサーバデバイスの格納手段に格納することができる。このような格納手段から他のエンドユーザデバイスへのデータ送信は、他のエンドユーザデバイス上で動作するアプリケーションによって自動的に、または他のエンドユーザデバイスのユーザのユーザコマンドによって開始されてもよい。例えばこのようなユーザコマンドは、エンドユーザデバイスの特定のボタン、またはエリアをタッチする、クリックする、または押すことであってもよい。このようなコマンドは、声、またはエンドユーザデバイスの特異的な動き、特にセンサにかかる所定のバイアスによって入力されてもよい。本実施形態は、予備送信パス上で送信不可能なメッセージデータを、主送信パス上で後に取得することを可能にするデータに、特に自動的に、置換することができるため、有益である。
【００１４】
好ましくは、所定の閾値、特に５００ＫＢを下回る、２５ＫＢを下回る、１００ＫＢを下回る、１０ＫＢを下回る、５ＫＢを下回る、または２ＫＢを下回る閾値のデータのみ、またはそれぞれ特定のフォーマット、特にテキストフォーマットを有するデータのみを予備送信パスを介して送信する。修正されたメッセージデータは、例えばリンク、またはルーティングデータがこのようなテキスト形式を表すデータによって参照されるように適合されることが好ましい。あるいは／さらに、テキスト情報を表すデータとともに他のリンク、またはルーティングデータを送信してもよい。この時、他のリンク、またはルーティングデータは、テキストのみを表すデータで構成されるわけではない。修正されたメッセージデータは、受信されたメッセージがオリジナルメッセージと比べて情報が欠落していることを示す情報を表すテキストデータを含むことが好ましい。
【００１５】
主送信パスは、好ましくはインターネット接続、特に、インスタントメッセンジャー手段によって構成され、予備送信パスは、好ましくはＧＳＭ（登録商標）ネットワーク接続、特にＳＭＳ、ＭＭＳ、またはＪＯＹＮによって構成される。
【００１６】
上述した課題はさらに、ここで述べられる方法に係る方法を実行するためのコンピュータプログラム製品によって解決される。本発明に係るコンピュータプログラム製品、またはアプリケーションは、好ましくはＪａｂｂｅｒ（ＸＭＰＰ）のようなシステムの一部であり、すべての通信がサーバを経由する。さらに／あるいは、本発明に係るコンピュータプログラム製品は、サーバハンドシェイクを有するＰ２Ｐ  ＩＭメッセージング、またはＰ２Ｐメッセージングをベースとするシステムの一部であるアプリケーションでもよい。 終端間暗号化の英語" 終端間暗号化、または、任意の追加的または代替的な暗号化も可能であり、暗号化には終端間暗号化の英語" 終端間暗号化、サーバサイドの暗号化、または他の任意の暗号化が含まれる。
【００１７】
さらに、上述した課題は、エンドユーザによって作成され、第１のエンドユーザデバイスから第２の、または他のエンドユーザデバイスへ、およびその逆へ送信される情報を表すメッセージデータを送信するためのシステムによっても解決される。本発明に係るシステムは、少なくとも第１のエンドユーザデバイス、および一つの第２のエンドユーザデバイスを含むことが好ましい。エンドユーザデバイスはインターネットに接続する機能、特にＷＬＡＮ、ＵＭＴＳ、またはＬＴＥに接続する機能、およびＧＤＭ／ＣＤＭＡに基づく接続を行う機能を有している。少なくとも第１のエンドユーザデバイスには、メッセージデータによって表される情報をユーザが作成できるようにするユーザインターフェースを提供するアプリケーションが搭載される。アプリケーションは、第１のエンドユーザデバイスの制御手段、または通信手段からエンドユーザデバイスの接続特性を読出す。メッセージデータは、読出されたデータに応じてインターネット接続パス、特にＷｉ−Ｆｉ、３Ｇ、４Ｇ、５Ｇなどのインターネット接続パス、またはＧＳＭ／ＣＤＭＡに基づく接続パスを介して送られる。ＧＳＭ／ＣＤＭＡに基づく接続パスが選択される場合、およびメッセージデータが所定の基準を満たす場合、メッセージデータは所定の方法で自動的に修正される。
【００１８】
本発明の他の好ましい実施形態によると、メッセージデータの修正によってメッセージデータが低減し、この低減により、メッセージデータは所定の量へ制限される。さらに／あるいは、メッセージデータを低減することにより、メッセージデータが置換され、メッセージデータの置換によってメッセージデータが所定の量へ制限され、後にインターネット接続を介して残存メッセージデータ、または全メッセージデータのダウンロードを要求するルーディングデータが追加される。この解決方法は、残存メッセージデータ、または全メッセージデータを他のエンドユーザデバイスへ送り出す、または他のエンドユーザデバイスによって引き出すこと（ダウンロードされること）ができるので有益である。
【００１９】
すべてのエンドユーザデバイスに同じアプリケーションが搭載されることが好ましい。エンドユーザデバイスは、好ましくは携帯デバイスであり、特にタブレットＰＣ、スマートウォッチ、および／またはスマートフォンもしくは衛星電話などの携帯電話である。さらに／あるいは、ラップトップ型、または他のデジタルデバイス、特にデスクトップコンピュータ、車両通信システムが本発明の趣旨においてエンドユーザデバイスとして考えられる。
【００２０】
本発明のさらに好ましい実施形態によると、第１のエンドユーザデバイスで動作するアプリケーションは、第１のエンドユーザデバイスのインターネット接続と第２のエンドユーザデバイスのインターネット接続をチェックする。予備送信パスは、主送信パスの接続性が悪く、特に低いデータ送信速度である、もしくは接続がない場合だけ選択されることが好ましい。
【００２１】
本発明のさらなる利点、目的、および特徴は、以下の添付図面の明細書によって記載され、そこでは発明の例示的構成が図示される。本発明に係るシステムや方法の構成のうち、機能に関して実質的に合致する場合には同じ参照記号が付され、このような構成はすべての図面において表されること、または記述されることを要しない。
【００２２】
以下、添付図面に関し、本発明は例示的に記述されるにすぎない。
【図面の簡単な説明】
【００２３】
【図１】本方法とシステムの一般的コンセプトの例を示す。
【図２】本方法とシステムのより詳細な他の例を示す。
【図３】本方法とシステムにおける好ましいシークエンスを表すフローチャートを示す。
【発明を実施するための形態】
【００２４】
図１は、本発明に係るシステムの例を示す。参照番号１は第１のエンドユーザデバイスを示し、第１のエンドユーザデバイスは、特にインターネット接続などの主送信パス、および特にＧＳＭ／ＣＤＭＡに基づく接続などの予備送信パスを介してデータを送信することができる。主送信パスのステータス６と予備送信パスのステータス８は、その状況下（Ｔ＝０）で各パスを介した通信が可能であることを示す。ユーザＵ１がエンドユーザデバイス２を有するユーザＵ２にテキストデータを送信したい場合、ユーザＵ１は所望の単語をタイプして送信コマンドを入力するだけで他のエンドユーザデバイス２へメッセージが送られる。テキストメッセージは、例えばＳＭＳなどのインスタントメッセンジャーを利用することで容易に送信することができるので、このメッセージのルーティングも容易に行うことができる。状況Ｔ＝０においては、他のエンドユーザデバイス２はインターネット接続されていないが、ＧＳＭ／ＣＤＭＡ接続されている。第１のエンドユーザデバイス１上で動作するアプリケーションは、他のエンドユーザデバイス２が実際にインターネットに接続されているかどうかをチェックするため、このアプリケーションは、他のエンドユーザデバイス２が実際にインターネットに接続されていないことを認識する。したがって、テキストメッセージを表すメッセージデータは、予備送信パス、この場合にはＳＭＳ１０２を介してルーティングされる。
【００２５】
オリジナルメッセージ９がテキストデータのみでなく、さらに映像データや音声データなどの他のデータを含む場合、オリジナルメッセージ９が修正され、リンク、またはダウンロードデータかルーティングデータが提供される。修正されたメッセージ１０、または修正されたメッセージデータ、特に映像情報を表すデータがないメッセージデータが予備送信パスを介して他のエンドユーザデバイス２へ送信される。修正されたメッセージ１０は、好ましくは象徴／置換標識を含み、象徴／置換標識は他のユーザＵ２へ出力され、特に可視化または表示される。その後の時間Ｔ＝１において他のエンドユーザデバイス２が再度インターネットアクセス可能になったとき、他のエンドユーザデバイス２によって参照メッセージデータが、好ましくは自動的に主送信パスを介してダウンロードされる。写真、またはイメージデータ１０１、またはその他のデータは、任意のソース（カメラ、メモリなど）から受信される。
【００２６】
第１のエンドユーザデバイス１と他のエンドユーザデバイス２が主送信パスを介して接続されている場合、すべてのデータがこの送信パスを介して送信されるのが好ましい。
【００２７】
したがって、第１のエンドユーザデバイス１が主送信パスと予備送信パスへアクセスしており、他のエンドユーザデバイス２が主送信パスのみにアクセスしている場合、すべてのデータは主送信パスを介して送信することが好ましい。メッセージデータのルーティングは、好ましくはエンドユーザデバイスのデータ送信段へのアクセスがあり、かつ、ユーザインターフェース１４へアクセスできる、またはユーザインターフェース１４を提供するアプリケーションによって実行される。
【００２８】
参照番号１０４は主送信パス、特にサーバまたはクラウド（例えばＪａｂｂｅｒのようなＩＭ）への送信パスの一例を示す。
【００２９】
発明に係るメッセージング方法に対応するメッセージングシステムは、一体化されたメッセージングシステムとして理解され、すべてのメッセージング活動において同一のインターフェース上で動作することが好ましい。図１に示すように、操作する間、システムは送信者と受信者が共にインターネット接続を利用できるかどうかをチェックし続けることが好ましい。したがって、ここで述べるメッセージングシステムは、利用可能な資源を有する情報をできるだけ多く送信することを試みることが好ましい。
【００３０】
例えばテキスト情報を表すデータとともに、映像または音声情報を表すデータ、および／または、リンクまたはダウンロードデータかルーティングデータを含む複合メッセージが送信され、かつ、通信パーティーのいずれかがインターネット上に存在しない場合、システムはマルチメディアコンテントを象徴／置換標識へ変換するようにメッセージデータを修正し、インターネットが利用可能になった後にこの象徴／置換標識を置換する。
【００３１】
図２は、より詳細なメッセージ送信スキームを示す。このスキームによると、第１のステップＩにおいて、主送信パスによる送信が可能かどうか、または受信者Ｕ２−ｒ側でインターネット接続が利用できるかどうかをチェックする（２０２）。主送信パスが利用できない場合、またはインターネットが利用できない場合には、有効なインターネット接続が利用できないことを示す信号２０３を第１のエンドユーザデバイス１へ返すことが好ましい。
【００３２】
ステップＩＩＩはステップＩＩＩａとＩＩＩｂに分割される。ステップＩＩＩａでは修正されたデータが予備送信パスを介してＧＳＭ／ＳＤＭＡセルラープロバイダーへ送信され、ステップＩＩＩｂではＧＳＭ／ＣＤＭＡセルラープロバイダーから他のエンドユーザデバイス２へ送信される。修正されたメッセージ１０はユーザＵ２−ｒへ出力され、他のエンドユーザデバイスが主送信パスにアクセスできるようになったという情報を第１のエンドユーザデバイス１が受信すると、ステップＩＶにおいて、第１のエンドユーザデバイスは欠落したメッセージデータ、または全メッセージデータを主送信パスを介して送信する。これにより、欠落したメッセージデータ、または全メッセージデータは好適にサーバ、またはクラウド手段２０１に送信される。サーバ、またはクラウド手段は、ステップＶａにおいて主送信パスが検出されたのち、またはインターネット接続が利用可能になった後に、ステップＶｂにしたがって他のエンドユーザデバイス２に対してデータを送信する。
【００３３】
あるいは／さらに、他のエンドユーザデバイス２は、インターネットが利用可能かどうかを最初にチェックし（ステップＶａ）、その後第１のエンドユーザデバイス１に対して欠落したメッセージデータ、または全メッセージデータを主送信パスを介して送信するよう要求してもよい。
【００３４】
あるいは／さらに、第１のエンドユーザデバイス２は、サーバ、またはクラウド手段２０１に対して欠落したメッセージデータ、または全メッセージデータを直接送信してもよい（Ｔ＝０）。また、他のエンドユーザデバイスが主送信パスにアクセスできない場合には、欠落したメッセージデータ、または全メッセージデータをサーバ、またはクラウド手段に、特にデータが要求されるまで、または所定の期間が経過するまで格納してもよい。
【００３５】
図１と図２に関するさらに他の状況として、Ｕ１−ｘがインターネット接続しておらず、テキスト情報とマルチメディア情報の両者を有する結合データの送信を試みる場合、修正されたメッセージ、特に象徴／置換標識を有するメッセージを再度送信するものの、Ｕ１−ｘがインターネット接続できるようになるまでマルチメディアコンテント、または映像情報や音声情報などの情報を第１のエンドユーザデバイスの内部メモリ、またはＵ１−ｘ内に保存しても良い。
【００３６】
図３にフローチャートを示す。このフローチャートでは、参照番号３０１は操作開始を表す。３０２では、送信者がインターネット接続を利用できるかどうかがチェックされる（Ｙはイエス、Ｎはノー）。受信者がインターネット接続を利用できるかどうかも３０３においてチェックされる。受信者がインターネット接続を利用できる場合、参照番号３０４は主送信パス上におけるＩＭ（ｉｎｓｔａｎｔ  ｍｅｓｓｅｎｇｅｒ）が使用されていることを意味し、操作が終了する。
【００３７】
３０５では、メッセージがテキストと映像などの複合コンテントを含むかどうかがチェックされる。３０５においてチェック結果がノーであれば、ＳＭＳが３０６において送信され、操作が終了する。
【００３８】
３０７では、メッセージがテキストとともに映像か音声などの複合コンテントを含むかどうかがチェックされる。結果がノーであれば、ＳＭＳが３０６において送信され、操作が終了する。
【００３９】
チェック結果がイエスの場合、メッセージの全体がサーバ、またはクラウド手段２０１に送信される。その後ステップ３１３において、修正されたメッセージデータ、特に象徴／置換標識を有するテキストのみのメッセージデータがＳＭＳを介して受信者に送信される。ステップ３１４では、送信者がインターネット接続を利用できるかどうかがチェックされる。チェックが否定的である場合、チェックが繰り返される。チェックがイエスの場合、マルチメディアコンテントが受信者へ引き出され（アップロード）、象徴／置換標識テキストのマルチメディアコンテントへの置換が実行され、操作が終了する。
【００４０】
３０５でチェックがイエスの場合、マルチメディアコンテントはデバイスメモリに保存されることが好ましく、ステップ３０８においてオリジナルメッセージが修正され、特に象徴／置換標識テキストが付け加えられる。その後、ステップ３０９において、テキストのみのＳＭＳが送信される。ステップ３１０では、送信者がインターネット接続を利用できるかどうかがチェックされる。結果がノーである場合、結果がイエスとなるまで、またはチェックがタイムアウトするまでチェックが繰り返される。ステップ３１１でチェック結果がイエスの場合、他のエンドユーザデバイスとサーバ、またはクラウド手段２０１に格納されているコンテントの同期が行われる。
【００４１】
このように、本発明は、エンドユーザによって作成され、第１のエンドユーザデバイス１から他のエンドユーザデバイス２へ送信される情報を表すメッセージデータを送信するためのシステムに関連する。本発明に係るシステムは、
第１のエンドユーザデバイス１と一つの他のエンドユーザデバイス２を少なくとも有し、エンドユーザデバイス１、２はインターネットに接続する機能、およびＧＳＭ／ＣＤＭＡに基づく接続を行う機能を有し、
少なくとも第１のエンドユーザデバイス１には、メッセージデータによって表される情報をユーザが作成できるようにするユーザインターフェース１４を提供するアプリケーションが搭載され、アプリケーションは第１のエンドユーザデバイス１の制御手段、または通信手段から第１のエンドユーザデバイス１の接続特性を読出し、
メッセージデータは、読出したデータに応じてインターネット接続パス、またはＧＳＭ／ＣＤＭＡに基づく接続パスを介して送信され、
ＧＳＭ／ＣＤＭＡに基づく接続パスが選択された場合、およびメッセージデータが所定の基準を満たす場合、メッセージデータは所定の方法によって自動的に修正される。
【００４２】
さらに本発明は、第１のエンドユーザデバイス１を操作して第１のエンドユーザデバイス１から少なくとも一つの他のエンドユーザデバイス２に対し、一つ、または複数の送信パスを用いてメッセージデータを送信する方法に関連する。好ましくはこの方法は、第１のエンドユーザデバイス１のディスプレイユニットを用いてユーザインターフェース１４を表示するステップ、複数の送信パスのうちどれが利用可能かを検出するステップ、およびユーザコマンドの検出に応答してメッセージデータ９を選択された送信パスを介して送信するステップを少なくとも含む。ユーザインターフェース１４は、メッセージデータとして送信する必要がある情報をユーザが作成するためのセクションを含み、メッセージデータ９は、テキスト情報を表すデータとは異なるデータ、特に映像情報、または音声情報を表すデータを少なくとも含む。主送信パスは、それが利用できる場合、またはデータ送信速度が所定の閾値よりも大きい場合に選択される。予備送信パスは、主送信パスが利用できない場合、またはデータ送信速度が所定の閾値よりも小さい場合に選択される。予備送信パスが選択された場合、メッセージデータ９は送信前に修正される。
【符号の説明】
【００４３】
Ｔ＝０：複合メッセージングが開始したときにおける第１の初期時間
Ｔ＝１：Ｔ＝０後の時間
Ｕ１：操作を行っている第１のユーザ
Ｕ１−ｘ：操作を行っている第１のユーザ（例示的ケースにおける送信者）
Ｕ２：操作を行っている第２のユーザ
Ｕ２−ｒ：操作を行っている第２のユーザ（例示的ケースにおける受信者）
Ｘ：考慮しない
１：第１のエンドユーザデバイス
２：他のエンドユーザデバイス
４：異なる時間における他のエンドユーザデバイス
６：主送信パスのステータス
８：予備送信パスのステータス
９：オリジナルメッセージデータで表される情報
１０：修正されたメッセージで表される情報
１４：ユーザインターフェース
１０１：任意の資源（カメラ、メモリなど）から得られる写真、または映像
１０２：ＳＭＳ
１０３：象徴／置換標識
１０４：サーバ、またはクラウド（ＪａｂｂｅｒのようなＩＭ）
２０１：サーバ、またはクラウド
２０２：Ｕ２−ｒにおいてインターネット接続が利用できるか？
２０３：Ｕ２−ｒインターネット接続が利用できない
２０４：ＧＳＭ／ＣＤＭＡセルラープロバイダー
２０５：Ｕ２−ｒに利用可能なインターネット接続
３０１：操作を開始せよ
３０２：送信者がインターネット接続を利用できるか？（Ｙ：イエス、Ｎ：ノー）
３０３：受信者がインターネット接続を利用できるか？
３０４：インターネット上でＩＭを使用せよ
３０５：メッセージがテキストと映像などのハイブリッドコンテントを有するか？
３０６：ＳＭＳを送信せよ
３０７：メッセージがテキストと映像などのハイブリッドコンテントを有するか？
３０８：デバイスメモリ内にマルチメディアコンテントを保存し、象徴／置換標識テキストを追加せよ
３０９：テキストのみのＳＭＳを送信せよ
３１０：送信者がインターネット接続を利用できるか？
３１１：格納されたコンテントをサーバと同期せよ
３１２：メッセージ全体をサーバへ送信せよ
３１３：象徴／置換標識テキストを有するテキストのみのメッセージをＳＭＳを介して受信者へ送信せよ
３１４：送信者がインターネット接続を利用できるか？
３１５：マルチメディアコンテントを受信者へ引き出し、および象徴／置換標識テキストをマルチメディアコンテントで置換せよ
３１６：操作を終了せよ
【図１】
2019527490.tif 000003
【図２】
2019527490.tif 000004
【図３】
2019527490.tif 000005
【国際調査報告】
2019527490.tif 000006
2019527490.tif 000007
2019527490.tif 000008